(57)【要約】      （修正有）【課題】咀嚼の際の振動や嚥下の際の振動を感度よく取得し利用することができるコンタクトピックアップシステムを提供する。【解決手段】人体の鎖骨又は頸椎に貼り付けて咀嚼と嚥下に関わる骨伝導を取得するコンタクトピックアップシステム１であって、前記骨伝導を取得して電気信号に変換するコンタクトピックアップ本体１０と、前記コンタクトピックアップ本体１０を収納する筐体２０と、前記筐体と前記コンタクトピックアップ本体１０との間に配置された空間２２とを備え、前記筐体２０は、前記人体の鎖骨又は頸椎との接触外表面を含む。【選択図】図１
2016029981.tif 000002
【特許請求の範囲】
【請求項１】
人体の鎖骨又は頸椎に貼り付けて咀嚼と嚥下に関わる骨伝導を取得するコンタクトピックアップシステムであって、                                    
前記骨伝導を取得して電気信号に変換するコンタクトピックアップ本体と、  
前記コンタクトピックアップ本体を収納する筐体と、
前記筐体と前記コンタクトピックアップ本体との間に配置された空間とを備え、      
前記筐体は、前記人体の鎖骨又は頸椎との接触外表面を含むものであることを特徴とするコンタクトピックアップシステム。
【請求項２】
前記空間は、外気から遮断された密閉空間である請求項１に記載のコンタクトピックアップシステム。
【請求項３】
前記筐体は、前記人体の鎖骨又は頸椎との接触外表面に圧接される請求項１に記載のコンタクトピックアップシステム。
【請求項４】
前記コンタクトピックアップシステムは、さらに、                      
前記コンタクトピックアップ本体より電気信号を受け付け、該電気信号の強さと振動パターンとに基づいて、噛む動作と飲み込む動作を判別する動作判別部を備える請求項１〜３のいずれか１項に記載のコンタクトピックアップシステム。
【発明の詳細な説明】
【技術分野】
【０００１】
本発明は、人体の鎖骨又は頸椎に貼り付けて、咀嚼と嚥下に関わる骨伝導を取得するコンタクトピックアップシステムにおいて、特に、咀嚼の際の振動や嚥下の際の振動を感度よく識別して拾い、該振動が「咀嚼状態」のものであるか「嚥下状態」のものであるかを判別可能である様にデータを収集する技術に関するものである。
【背景技術】
【０００２】
従来より、治療、介護、及び生活習慣の改善などのために、食事の頻度や速度（以下「食事態様」という）をモニタしたいという要望がある。
【０００３】
例えば、肥満傾向の人は自分ではあまり食べていないと言いながら、実体的には高い頻度で食物を摂取している事がある。またひとくちあたりの咀嚼回数が少ないと肥満になり易いと言われている。ここで咀嚼とは、食物を摂取して粉砕し、唾液と混和して食塊にするまでの一連の過程を言う。
【０００４】
現代人の咀嚼回数は、弥生時代の人の約６分の１と言われている。咀嚼回数は、食品の量や性状に加え、現在の歯数、唾液分泌能等が影響を与える。現代人の好む食事は、あまり噛まなくても食べることができる軟らかいものが多く、咀嚼回数は次第に減ってきている。咀嚼回数が減ると、あごの骨の発達が遅れたり、虫歯や肥満になり易いなどの健康被害が起こることが報告されており、ひとくちあたり３０回以上噛むことが好ましいと言われている。
【０００５】
ひとくちあたりの咀嚼回数と肥満との関連性については様々な研究がなされている。煎餅の初回嚥下までの咀嚼回数と体格との関連を成人期と高齢期に分けて比較検討したある調査（http://www.niph.go.jp/soshiki/koku/kk/sosyaku/report/report2010_6.pdf
参照）においては、成人期（２０〜６４歳）では、咀嚼回数が２４回以下の群の男性は、咀嚼回数が２５〜３０回または３０回以上の群の男性に較べて内臓脂肪蓄積の比率が有意に高く、また咀嚼回数が３１回以上の群の男性は、咀嚼回数が２５〜３０回の群の男性に較べて内臓脂肪蓄積及び肥満の比率が有意に高い。高齢期（６５歳以上）では、咀嚼回数が３１回以上の群の男性は、咀嚼回数が３０回以下の群の男性に較べて痩せ（低栄養）の比率が有意に高い。女性では咀嚼回数と内臓脂肪蓄積との間に統計学的に有意な関連は見られない。以上のように、成人期の男性において、咀嚼回数が少なくても（２４回以下）、多くても（３１回以上）内蔵脂肪蓄積の傾向があり、高齢期の男性においては、咀嚼回数が多い（３１回以上）人は栄養が不足している傾向にある。咀嚼回数が少ない男性は、成人期の場合は「早食い」、「よく噛まない」といった食行動が肥満に繋がるものと推測されるが、高齢期の場合は肥満との関連は認められない。咀嚼回数が３１回以上の男性は、歯数が少ない人の割合が高く、咀嚼能力が低下して「よく噛めない」ため咀嚼回数が増加しているものと推測される。成人期の「よく噛めない」男性の場合は、咀嚼能力の低下が食品選択に影響を与え、炭水化物の摂取量が多くなるなどの栄養摂取バランスの悪化を招き肥満に繋がるものと推測され、高齢期の「よく噛めない」男性の場合は、総摂取エネルギー量や各栄養素の摂取量低下を引き起こしているものと推測される。一方女性の場合は、一般に食品や料理に関する知識が豊富であり、食事や栄養に気を使っている人の割合が高いため、咀嚼回数と体格の間に関連が認められなかったものと推測される。よって、一概に咀嚼回数が多ければ好ましいというわけではなく、適度な咀嚼回数（成人期の男性で２５〜３０回）があり、歯数等の個人的な要因による影響も考慮して、個々に適度な咀嚼回数を決めることができる。
【０００６】
また介護の現場では本人の判断力や記憶力が欠如していることも多いので、自己申告により食事態様を管理するのは難しい場合がある。そこで夫々の人が自分の食習慣を客観的に認識できるようなデータを入手して、食習慣を改善する為の資料とすることが望まれている。
【０００７】
食事態様を監視するには、他者が目視で確認する方法もあるが、この方法では２４時間監視を続けることが難しい。そこで、何らかの装置を用いて、自動的に咀嚼や嚥下の回数やパターンを記録し、食事態様を持続的・客観的に監視することが望ましい。
【０００８】
従来の食事態様を監視する装置としては、例えば特許文献１、２に開示されているものがある。特許文献１に記載された咀嚼センサは、咀嚼の際に外耳道が変形することを利用して、イヤーマイクロホンに小さい孔で外部と通じている気室を設け、気室１３内の音圧をマイクロホンで検出することにより、咀嚼回数を測定する（段落００１０、００１１）。特許文献２に記載された発音・飲食状態検出システムは、骨伝導マイクやコンタクトマイク（音源に直接取り付けて、空気振動を電気信号に変換するマイク）を用いて咀嚼・嚥下・発声に伴う音を検出して電気信号に変換し、高速フーリエ変換（ＦＦＴ）を行なって得られた周波数パターンの分布から「飲食状態」であるか「発話状態」であるかを判定する（段落００２６、００２７）。
【先行技術文献】
【特許文献】
【０００９】
【特許文献１】特開平１１−３１８８６２号公報
【特許文献２】特開２００８−６１７９０号公報
【発明の概要】
【発明が解決しようとする課題】
【００１０】
しかしながら、特許文献１の咀嚼センサでは、顎が動いたか否かを判定するため、会話等で顎を動かしても反応してしまうので、咀嚼回数だけを正確に測定することができない。
【００１１】
特許文献２の発音・飲食状態検出システムでは、「飲食状態」と「発話状態」とを判定する際に周波数スペクトルの差異を利用する旨や、判定基準となる具体的な周波数が開示されているが、「咀嚼状態」と「嚥下状態」とを判別することについては、周波数スペクトルを利用するのではなく、「発生頻度が高いものを咀嚼状態、低いものを嚥下状態に分けることが可能」と開示されているのみである（段落００３８）。従って、特許文献２の開示内容では、発生頻度がどの程度高いものを「咀嚼状態」とし、発生頻度がどの程度低いものを「嚥下状態」とするのかが明確でないため、「咀嚼状態」と「嚥下状態」の判別が恣意的又は主観的な要因を受けることとなり正確なデータを得ることができない。
【００１２】
また、特許文献２には、「コンタクトマイクを用いた場合は咽喉部に付着させるため、骨伝導マイクを用いるものに比べて嚥下音を検出しやすくなる」（段落００４０）との記載があるが、実測データが開示されておらず、例えばコンタクトマイクを咽喉部に付着させる程度で本当に嚥下音を検出しやすくなり、正しく嚥下音などの検証をすることができるのか不明である。
【００１３】
さらに、コンタクトマイクは会話などの周囲の音を拾うため、特許文献２のように「飲食状態」と「発話状態」とを判定する手段としては適しているであろうが、本発明の適用対象とするような「咀嚼状態」と「嚥下状態」の識別にとっては、周囲の音は雑音であり周囲の音を拾うコンタクトマイクは適していない。
【００１４】
一方、コンタクトマイクの代わりに、コンタクトピックアップを用いると、周囲の音の影響を積極的に排除することができる。しかしながら、実際に本発明者らが、市販の骨伝導マイクをコンタクトピックアップ用として鎖骨上及び咽喉部に密着させ、咀嚼の際の振動及び嚥下の際の振動の検出を試みたところ、咀嚼の際にも嚥下の際にも、十分な出力信号を得ることができなかった。
【００１５】
本発明は以上のような従来の課題を考慮してなされたものであり、咀嚼の際の振動や嚥下の際の振動を感度よく拾い、咀嚼であるか嚥下であるかを識別可能である様にデータを収集することができるコンタクトピックアップシステムを提供するものである。
【課題を解決するための手段】
【００１６】
本発明に係るコンタクトピックアップシステムは、人体の鎖骨又は頸椎に貼り付けて咀嚼と嚥下に関わる骨伝導を取得するコンタクトピックアップシステムであって、前記骨伝導を取得して電気信号に変換するコンタクトピックアップ本体と、前記コンタクトピックアップ本体を収納する筐体と、前記筐体と前記コンタクトピックアップ本体との間に配置された空間とを備え、前記筐体は、前記人体の鎖骨又は頸椎との接触外表面を含むものである点に特徴を有する。
【００１７】
また、前記空間は、外気から遮断された密閉空間であることが好ましい。
【００１８】
前記筐体は、前記人体の鎖骨又は頸椎との接触外表面を圧接することが好ましい。
【００１９】
また、前記コンタクトピックアップ本体より電気信号を受け付け、該電気信号の強さと振動パターンとに基づいて、噛む動作と飲み込む動作を判別する動作判別部を備える様な態様とすることもできる。
【発明の効果】
【００２０】
本発明のコンタクトピックアップシステムは、コンタクトピックアップ本体と該コンタクトピックアップ本体を収納する筐体との間に空間が設けられていることにより、該コンタクトピックアップシステムを人体の頸椎又は鎖骨に貼り付けると、該空間が設けられていないときよりも体組織を伝わる振動を感度よく取得することができる。よって、咀嚼の際の振動及び嚥下の際の振動を感度よく取得して、該振動が「咀嚼状態」のものであるか「嚥下状態」のものであるかを判別可能である様にデータを収集することができる。
【００２１】
また、前記コンタクトピックアップ本体が設けられる箇所は、人体の頸椎又は鎖骨であることから、顔や手足のように外から目立つことはなく、他者から気づかれることはない。したがって、被検者は普段の生活スタイルのままで、咀嚼状態と嚥下状態を正確に識別して記録することができる。
【図面の簡単な説明】
【００２２】
【図１】本発明の実施形態１に係るコンタクトピックアップシステムの概要を示す図である。
【図２】図１を図中の一点鎖線Ａが通る平面において切断した断面図である。
【図３】本発明のコンタクトピックアップシステムを鎖骨上に貼り付けて、被験者がせんべいを食べたときの振動を測定した結果を示すグラフである。
【図４】比較例としてコンタクトピックアップ本体を鎖骨上に直接貼り付けて、被験者がせんべいを食べたときの振動を測定した結果を示すグラフである。
【図５】本発明のコンタクトピックアップシステムを鎖骨上に貼り付けて、被験者がお茶を飲んだときの振動を測定した結果を示すグラフである。
【図６】比較例としてコンタクトピックアップ本体を鎖骨上に直接貼り付けて、被験者がお茶を飲んだときの振動を測定した結果を示すグラフである。
【図７】本発明のコンタクトピックアップシステムを頸椎上に貼り付けて、被験者が煎り大豆を食べたときの振動を測定した結果を示すグラフである。
【図８】本発明のコンタクトピックアップシステムを頸椎上に貼り付けて、被験者がお茶を飲むときの振動を測定した結果を示すグラフである。
【図９】本発明のコンタクトピックアップシステムを頸椎上に貼り付けた後、筐体を伸縮性サポータで圧接した状態にて被験者がジャイアントコーンを食べたときの振動を測定した結果を示すグラフである。
【図１０】本発明のコンタクトピックアップシステムを頸椎上に貼り付けて、被験者がジャイアントコーンを食べたときの振動を測定した結果を示すグラフである。
【図１１】本発明の実施形態２に係るコンタクトピックアップシステムの概要を示す図である。
【発明を実施するための形態】
【００２３】
＜実施形態１＞
以下、図面に示した実施形態に基づいて本発明を詳細に説明する。
【００２４】
図１は、本発明の実施形態１に係るコンタクトピックアップシステム１を示したものであり、図２は、図１を図中の一点鎖線Ａが通る平面において切断した断面図である。コンタクトピックアップシステム１は、コンタクトピックアップ本体１０と、該コンタクトピックアップ本体１０を収納する筐体２０と、該筐体２０と該コンタクトピックアップ本体１０との間に配置された空間２２とを備える。コンタクトピックアップシステム１が人体の鎖骨又は頸椎に貼り付けられる際には、筐体２０において、該人体の鎖骨又は頸椎との接触外表面２１ａが含まれる構成となる。
【００２５】
コンタクトピックアップ本体１０は、骨伝導マイクのように人体の鎖骨や頸椎に貼り付けて体組織を伝わる振動を取得して電気信号に変換する振動センサであり、ここではダイナミックマイクと同様の構造を持つ。コンタクトピックアップ本体１０の外形は、これをモニタリング目的で人体の鎖骨や頸椎に２４時間貼り付けて使用するケースを想定すれば、一例としておよそ縦０．６ｍｍ×横０．４８ｍｍ×長さ１．６ｍｍ程度の大きさからなる略直方体が好ましく、２本の出力ケーブル１０ａ、１０ｂが出ている。
【００２６】
筺体２０は、金属やプラスチックなどで形作られた箱であり、具体的には、外面を形作る中空構造の外部材２１、及び外部材２１とコンタクトピックアップ本体１０との間の空間２２を含む。筺体２０の外形は、コンタクトピックアップ本体１０よりも一回り大きく、上記使用目的などを勘案すれば、およそ縦１．０ｍｍ×横０．８ｍｍ×長さ２．０ｍｍ程度の大きさからなる略直方体が好ましい。なお、筺体２０の外形は角が立っていると扱い難いので、角を丸くした方が望ましい。
【００２７】
空間２２が設けられることにより、コンタクトピックアップシステム１を人体の鎖骨や頸椎に貼り付けると、空間２２が設けられていないときよりも体組織を伝わる振動を感度よく取得することができる。理由について詳細は不明であるが、特に、頸椎上、鎖骨上にコンタクトピックアップシステム１を貼り付けることで、咀嚼の際の振動や嚥下の際の振動を感度よく取得して、該振動が咀嚼状態のものであるか嚥下状態のものであるかを判別可能である様にデータを収集することができる。
【００２８】
頸椎上にコンタクトピックアップシステム１を貼り付ける場合は、骨伝導が良好となることを考慮して、例えば、骨が最も突出している第７頸椎上がより好ましい。また、鎖骨上にコンタクトピックアップシステム１を貼り付ける場合は、該鎖骨のいずれの箇所でも骨伝導が良好であり、頸椎上の場合のように貼り付ける場所に制限されることはない。
【００２９】
空間２２は、外気と連通していてもよく、例えば、筐体２０の表面にスリット状やパンチング状、あるいは面格子状のすき間を設けることも可能である。湿度や温度等の外部環境による変化を考慮すると、外気から遮断された密閉空間とすることが好ましく、密閉空間とすれば咀嚼の際の振動や嚥下の際の振動を感度よく取得することができる。
【００３０】
ここでコンタクトピックアップ本体１０は、出力ケーブル１０ａ、１０ｂの一部分が外部材２１に保持され、外部材２１の略中心に設置されている。なお、コンタクトピックアップ本体１０は、空間２２が確保されるのであれば、必ずしも外部材２１の略中心に設置されなくてもよい。また、コンタクトピックアップ本体１０の一部が外部材２１の内壁に接触しても問題はないので、例えばコンタクトピックアップ本体１０の外形が略直方体である場合には、該略直方体の角の部分が外部材２１の内壁に接触していても構わない。また、空間２２の全部又は一部に、空洞を多く有するスポンジなどの部材を詰めることにより、実質的に空間２２をほとんど狭めることなく、コンタクトピックアップ本体１０を確実に保持することができる。この他、ネット上素材を用いて該コンタクトピックアップ本体１０を筐体２０内に宙吊り状に配置することも可能である。
【００３１】
なお、コンタクトピックアップ本体１０の周り全てに空間を設ける必要はなく、例えば、図２に示すように、人体の鎖骨又は頸椎との接触外表面２１ａとコンタクトピックアップ本体１０との間に空間２２ａ（図２中の鎖線の部分）を設ければよい。空間２２ａとしては、スポンジ等の多孔性材料を介在させることが好ましい。
【００３２】
コンタクトピックアップ本体１０のセンサ感度をさらに向上させることを考慮して、筐体２０は、前記人体の鎖骨又は頸椎との接触外表面２１ａを圧接することが好ましい。筐体２０の圧接は、例えば、該筐体２０の接触外表面２１ａ以外の全ての表面を一様に押さえられるように、市販の可撓性粘着テープ、可撓性バンド、伸縮性サポータ等で押さえる方法を用いることができる。
【００３３】
＜検証１＞
本発明の実施形態１に係るコンタクトピックアップシステム１を人体の鎖骨又は頸椎に貼り付けた時、体組織を伝わる振動を感度よく取得することができるかを検証した。また比較のために、筺体２０から外した裸のコンタクトピックアップ本体１０を直接、鎖骨上に貼り付けて、その他の条件はコンタクトピックアップシステム１とできるだけ同じにして測定を行った。ここでは、コンタクトピックアップ本体１０の出力ケーブル１０ａ、１０ｂを、市販のノートパソコンの音声入力端子に接続し、計測用のフリーソフトを使用して、「せんべいを食べる」、「お茶を飲む」、「煎り大豆を食べる」の動作を被験者に実際に行ってもらい計測を行った。
【００３４】
図３は、本発明の実施形態１に係るコンタクトピックアップシステム１を人体の鎖骨上に貼り付けて、被験者がせんべいを食べるときの振動を測定した結果を示すグラフである。図３によれば、せんべいを咀嚼している時（以下、「咀嚼時」という）には（図３中のＡ）、ほぼ一定の周期で電気信号が発生し、せんべいを嚥下している時（以下、「嚥下時」という）には（図３中のＢ）、咀嚼の後に少し遅れて、咀嚼時の３〜４倍ほどの強さの電気信号が発生していることがわかる。
【００３５】
図４は、比較例としてコンタクトピックアップ本体１０を鎖骨上に直接貼り付けて、被験者がせんべいを食べる時の振動を測定した結果を示すグラフである。図４によれば、咀嚼時も嚥下時もほとんど電気信号が発生していないことがわかる。
【００３６】
図５は、図３と同様に本発明の実施形態１に係るコンタクトピックアップシステム１を用いて、被験者がお茶を飲んだ時の振動を測定した結果を示すグラフである。図５によれば、図３と同様に、お茶の嚥下時にも、比較的大きな電気信号が発生していることがわかる。
【００３７】
図６は、図４と同様に本発明のコンタクトピックアップ本体１０を鎖骨上に直接貼り付けて、被験者がお茶を飲んだ時の振動を測定した結果を示すグラフである。図６によれば、図４と同様に、嚥下時にもほとんど電気信号が発生していないことがわかる。
【００３８】
図７は、本発明の実施形態１に係るコンタクトピックアップシステム１を人体の第７頸椎上に貼り付けて、被験者が煎り大豆を食べたときの振動を測定した結果を示すグラフである。図７によれば、図３と同様に、煎り大豆咀嚼時には（図７中のＡ）、ほぼ一定の周期で電気信号が発生し、煎り大豆嚥下時には（図７中のＢ）、咀嚼の後に少し遅れて、咀嚼時と同程度の強さの電気信号が発生していることがわかる。
【００３９】
図８は、本発明の実施形態１に係るコンタクトピックアップシステム１を人体の第７頸椎上に貼り付けて、被験者がお茶を飲んだときの振動を測定した結果を示すグラフである。図８によれば、図５と同様、お茶嚥下時には、比較的大きな電気信号が発生していることがわかる。
【００４０】
以上の結果から、図３、図５、図７、図８のようにコンタクトピックアップシステム１を鎖骨上や頸椎上に貼り付けた場合には、噛む動作や飲み込む動作を判別できることがわかる。
【００４１】
また、図３と図４、図５と図６との比較より、本発明に係るコンタクトピックアップシステム１を鎖骨上に貼り付けた場合には、コンタクトピックアップ本体１０を鎖骨上に直接貼り付けた場合よりも、咀嚼や嚥下の際の振動を感度よく拾えることがわかる。
【００４２】
＜検証２＞
本発明の実施形態１に係るコンタクトピックアップシステム１を人体の頸椎に貼り付けた後、伸縮性サポータを用いて筐体２０を人体表面へ圧接させるように固定する条件を設定して、該コンタクトピックアップ本体１０のセンサ感度への影響を検証した。ここでは、上記検証１の場合と同様に、コンタクトピックアップ本体１０の出力ケーブル１０ａ、１０ｂを、市販のノートパソコンの音声入力端子に接続し、計測用のフリーソフトを使用して、「ジャイアントコーンを食べる」という動作を被験者に実際に行ってもらい計測を行った。
【００４３】
図９は、本発明の実施形態１に係るコンタクトピックアップシステム１を人体の第７頸椎上に貼り付けた後、筐体２０を伸縮性サポータで押さえた状態で、被験者がジャイアントコーンを食べたときの振動を測定した結果を示すグラフである。また、図１０は、本発明の実施形態１に係るコンタクトピックアップシステム１を人体の第７頸椎上に貼り付けて、被験者がジャイアントコーンを食べたときの振動を測定した結果を示すグラフである。
【００４４】
図９と図１０によれば、図７と同様に、ジャイアントコーン咀嚼時には（図９中のＡ、図１０中のＡ）、ほぼ一定の周期で電気信号が発生し、ジャイアントコーン嚥下時には（図９中のＢ、図１０中のＢ）、咀嚼の後に少し遅れて、咀嚼時より弱い電気信号が発生していることがわかる。
【００４５】
また、図９と図１０を比較すると、該コンタクトピックアップシステム１を人体の第７頸椎上に貼り付けた後、筐体２０を伸縮性サポータで押さえることで、コンタクトピックアップ本体１０のセンサ感度が３〜４倍程度向上して、咀嚼や嚥下の際の振動を感度よく拾えることがわかる。コンタクトピックアップ本体１０のセンサ感度が向上する理由について詳細は不明であるが、少なくとも、筐体２０と該コンタクトピックアップ本体１０との間に配置された空間を設けることによる効果に、該筐体２０を圧接することによる効果が上乗せされた形で、該センサ感度の結果が現れていると考えられる。
【００４６】
＜実施形態２＞
図１１に示すように、実施形態２のコンタクトピックアップシステム２は、実施形態１におけるコンタクトピックアップシステム１の構成に、さらに、動作判別部３０を備える。
【００４７】
動作判別部３０は、コンタクトピックアップ本体１０より電気信号を受け付け、該電気信号の強さと振動パターンとに基づいて、噛む動作や飲み込む動作を識別検出する。
【００４８】
なお、動作判別部３０に、予め噛む動作であるか飲み込む動作であるかを見分けるための条件を設定しておき、該条件に基づいて判断することもできる。ここで該条件とは、例えば、電気信号の強弱、連続する電気信号の長さ及び電気信号の周期性の有無などである。
【００４９】
なお、矛盾が生じない限り、実施形態１、２は適宜組み合わせることができる。
【００５０】
本発明に係るコンタクトピックアップシステム１、２は、外部材２１とコンタクトピックアップ本体１０との間に空間２２が設けられていることにより、外部材２１を人体に付着させると、空間２２が設けられていないときよりも体組織を伝わる振動を感度よく拾うことができる。よって、鎖骨上や頸椎上に外部材２１を付着させることで咀嚼の際の振動や嚥下の際の振動を感度よく拾い、咀嚼であるか嚥下であるかを識別可能である様にデータを収集することができる。
【符号の説明】
【００５１】
１、２  コンタクトピックアップシステム
１０    コンタクトピックアップ本体
１０ａ、１０ｂ    出力ケーブル
２０    筺体
２１    外部材
２１ａ  接触外表面
２２    空間
２２ａ  空間
３０    動作判別部
【図１】
2016029981.tif 000003
【図２】
2016029981.tif 000004
【図４】
2016029981.tif 000005
【図６】
2016029981.tif 000006
【図７】
2016029981.tif 000007
【図８】
2016029981.tif 000008
【図９】
2016029981.tif 000009
【図１０】
2016029981.tif 000010
【図１１】
2016029981.tif 000011
【図３】
2016029981.tif 000012
【図５】
2016029981.tif 000013